(57)【要約】【課題】  一つのチューナ機能のみで、第１のチャンネルを録画しながら、第１のチャンネルとは異なるチャンネルである第２のチャンネルの視聴を可能とする。【解決手段】  第１の携帯電話機３１は、自端末に設けられているチューナ機能で第１のチャンネルを選局し、この第１のチャンネルのストリームデータを大容量メモリに記憶すると共に、当該第１の携帯電話機に設けられている近距離無線通信部を介して第２の携帯電話機３２との間で近距離無線通信を行い、この第２の携帯電話機３２で選局されている第２のチャンネルのストリームデータを取り込む。そして、この近距離無線通信で第２の携帯電話機３２から取り込んだ第２のチャンネルのストリームデータを表示部及びスピーカ部を介して出力する。これにより、一つのチューナ機能のみで、第１のチャンネルを録画しながら第２のチャンネルの視聴を可能とすることができる。【選択図】  図５
2007300576.tif 000002
【特許請求の範囲】
【請求項１】
放送情報を受信する近距離無線通信手段と、
上記近距離無線通信手段で受信された放送情報を出力するための放送情報出力手段と、
上記近距離無線通信手段を介して受信された放送情報を、上記放送情報出力手段を介して出力制御する制御手段と
を有する携帯端末装置。
【請求項２】
請求項１に記載の携帯端末装置であって、
所望のチャンネルの放送情報を選局する選局手段と、
上記放送情報を記録するための記録手段とを有し、
上記制御手段は、上記選局手段により選局されたチャンネルの放送情報を上記記録手段に記録制御すると共に、上記近距離無線通信手段を介して受信された放送情報を上記放送情報出力手段を介して出力制御し、或いは上記近距離無線通信手段を介して受信された放送情報を上記記録手段に記録制御すると共に、上記選局手段により選局されたチャンネルの放送情報を上記放送情報出力手段を介して出力制御すること
を特徴とする携帯端末装置。
【請求項３】
請求項１に記載の携帯端末装置であって、
所望のチャンネルの放送情報を選局する選局手段と、
上記放送情報出力手段を介して出力する放送情報のチャンネルを切り替え操作するためのチャンネル切り替え操作手段と、
上記放送情報を記録するための記録手段とを有し、
上記制御手段は、上記近距離無線通信手段を介して受信されたチャンネルの放送情報を上記記録手段に記録制御すると共に、上記選局手段により選局されたチャンネルの放送情報を上記放送情報出力手段を介して出力制御し、上記チャンネル切り替え操作手段を介してチャンネルの切り替え操作がなされた際に、上記記録手段に記録制御したチャンネルの放送情報を、上記選局手段により選局されたチャンネルの放送情報に代えて、上記放送情報出力手段を介して出力制御すること
を特徴とする携帯端末装置。
【請求項４】
請求項１に記載の携帯端末装置であって、
上記放送情報は、１つの番組の放送情報が複数の分割チャンネルに分割されており、
所望のチャンネルの放送情報を選局する選局手段を有し、
上記制御手段は、上記複数の分割チャンネルのうち、１つの分割チャンネルの放送情報を選局するように上記選局手段を選局制御すると共に、この選局制御している分割チャンネル以外の分割チャンネルの放送情報を近距離無線受信するように上記近距離無線通信手段を制御すること
を特徴とする携帯端末装置。
【請求項５】
請求項１に記載の携帯端末装置であって、
上記放送情報は、テレビジョン放送の放送情報であり、
上記放送情報出力手段は、少なくとも表示手段であり、
上記テレビジョン放送の所望のチャンネルを選局する選局手段を有し、
上記制御手段は、上記テレビジョン放送の所望のチャンネルを選局するように上記選局手段を制御し、また、上記選局手段で選局したチャンネル以外のチャンネルの放送情報を取り込むように上記近距離無線通信手段を制御すると共に、上記表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示制御すること
を特徴とする携帯端末装置。
【請求項６】
請求項５に記載の携帯端末装置であって、
上記放送情報を記録するための記録手段を有し、
上記制御手段は、上記選局手段で選局したチャンネル、及び上記近距離無線通信手段を介して取り込んだ、上記選局手段で選局したチャンネル以外のチャンネルの放送情報を、それぞれ上記記録手段に記録制御すること
を特徴とする携帯端末装置。
【請求項７】
請求項２から請求項６のうち、いずれか一項に記載の携帯端末装置であって、
上記放送情報には所定のエンコード処理が施されており、
上記制御手段は、上記選局手段で選局したチャンネルの放送情報を上記近距離無線通信手段を介して送信する際に、上記エンコード処理が施されたままの状態で上記チャンネルの放送情報を上記近距離無線通信手段を介して送信制御し、或いは上記チャンネルの放送情報に対して上記エンコード処理に対応するデコード処理を施し、上記近距離無線通信手段を介して送信制御すること
を特徴とする携帯端末装置。
【請求項８】
請求項２から請求項７のうち、いずれか一項に記載の携帯端末装置であって、
上記選局手段により選局されたチャンネルの放送情報の受信レベルを検出する受信レベル検出手段、及び／又は
上記バッテリ残量を検出するにバッテリ残量検出手段を有し、
上記制御手段は、上記受信レベル検出手段で検出された受信レベル、及び／又は、上記バッテリ残量検出手段で検出されたバッテリ残量を、上記近距離無線通信手段を介して他の携帯端末装置との間で送受信し、上記他の携帯端末装置よりも上記受信レベル、及び／又は、上記バッテリ残量が良好の場合、上記他の携帯端末装置側で希望するチャンネルの選局を行うように上記選局手段を制御すると共に、この選局手段で選局したチャンネルの放送情報を上記他携帯端末装置に送信するように上記近距離無線通信手段を制御し、上記他の携帯端末装置よりも上記受信レベル、及び／又は、上記バッテリ残量が不良の場合、上記他の携帯端末装置側で選局され送信されるチャンネルの放送情報を取り込むように上記近距離無線通信手段を制御すること
を特徴とする携帯端末装置。
【請求項９】
選局手段が所望のチャンネルの放送情報を選局するステップと、
制御手段が、上記選局手段により選局されたチャンネルの放送情報を記録手段に記録制御すると共に、近距離無線通信手段を介して受信された放送情報を放送情報出力手段を介して出力制御するステップ、或いは上記選局手段により選局されたチャンネルの放送情報を放送情報出力手段を介して出力制御すると共に、近距離無線通信手段を介して受信された放送情報を記録手段に記録制御するステップと
を有する携帯端末装置の放送情報処理方法。
【請求項１０】
選局手段が所望のチャンネルの放送情報を選局するステップと、
制御手段が、近距離無線通信手段を介して受信されたチャンネルの放送情報を記録手段に記録制御するステップと、
制御手段が、上記選局手段により選局されたチャンネルの放送情報を放送情報出力手段を介して出力制御するステップと、
制御手段が、チャンネル切り替え操作手段を介してチャンネルの切り替え操作がなされた際に、上記記録手段に記録制御したチャンネルの放送情報を、上記選局手段により選局されたチャンネルの放送情報に代えて、上記放送情報出力手段を介して出力制御するステップと
を有する携帯端末装置の放送情報処理方法。
【請求項１１】
１つの番組が複数の分割チャンネルに分割されて放送される放送情報のうち、選局手段が、一つの分割チャンネルの放送情報を選局するステップと、
制御手段が、上記選局手段で選局している分割チャンネル以外の分割チャンネルの放送情報を近距離無線受信するように近距離無線通信手段を制御するステップと
を有する携帯端末装置の放送情報処理方法。
【請求項１２】
選局手段が、テレビジョン放送の所望のチャンネルを選局するステップと、
制御手段が、上記選局手段で選局したチャンネル以外のチャンネルの放送情報を取り込むように近距離無線通信手段を制御するステップと、
制御手段が、表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示制御するステップと
を有する携帯端末装置の放送情報処理方法。
【請求項１３】
所望のチャンネルの放送情報を選局するように選局手段を制御する選局制御手段としてコンピュータを機能させ、
上記選局制御手段としてコンピュータを機能させることで、上記選局手段により選局されたチャンネルの放送情報を記録手段に記録制御する記録制御手段としてコンピュータを機能させると共に、近距離無線通信手段を介して受信された放送情報を放送情報出力手段を介して出力制御する出力制御手段としてコンピュータを機能させ、或いは選局制御手段としてコンピュータを機能させることで、上記選局手段により選局されたチャンネルの放送情報を放送情報出力手段を介して出力制御する出力制御手段としてコンピュータを機能させると共に、近距離無線通信手段を介して受信された放送情報を記録手段に記録制御する記録制御手段としてコンピュータを機能させること
を特徴とする携帯端末装置の放送情報処理プログラム。
【請求項１４】
所望のチャンネルの放送情報を選局するように選局手段を制御する選局制御手段としてコンピュータを機能させ、
近距離無線通信手段を介して受信されたチャンネルの放送情報を記録手段に記録する記録制御手段としてコンピュータを機能させ、
上記選局制御手段としてコンピュータを機能させることで、上記選局手段により選局されたチャンネルの放送情報を放送情報出力手段を介して出力する出力制御手段としてコンピュータを機能させ、
チャンネル切り替え操作手段を介してチャンネルの切り替え操作がなされた際に、上記記録手段に記録制御したチャンネルの放送情報を、上記選局手段により選局されたチャンネルの放送情報に代えて、上記放送情報出力手段を介して出力する出力切り替え手段としてコンピュータを機能させること
を特徴とする携帯端末装置の放送情報処理プログラム。
【請求項１５】
１つの番組が複数の分割チャンネルに分割されて放送される放送情報のうち、一つの分割チャンネルの放送情報を選局するように、選局手段を制御する選局制御手段としてコンピュータを機能させ、
上記選局手段で選局している分割チャンネル以外の分割チャンネルの放送情報を近距離無線受信するように近距離無線通信手段を制御する近距離無線通信制御手段としてコンピュータを機能させること
を特徴とする携帯端末装置の放送情報処理プログラム。
【請求項１６】
テレビジョン放送の所望のチャンネルの放送情報を選局するように選局手段を制御する選局制御手段としてコンピュータを機能させ、
上記選局手段で選局したチャンネル以外のチャンネルの放送情報を取り込むように近距離無線通信手段を制御する近距離無線通信制御手段としてコンピュータを機能させ、
表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示する表示制御手段としてコンピュータを機能させること
を特徴とする携帯端末装置の放送情報処理プログラム。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、或いはノート型のパーソナルコンピュータ装置等の携帯機器に用いて好適な携帯端末装置に関し、特に一組のアンテナ及びチューナで、或いはアンテナ及びチューナを備えていない場合でも、複数の放送番組を受信可能とした携帯端末装置、放送情報処理方法、及び放送情報処理プログラムに関する。
【背景技術】
【０００２】
今日において、携帯機器向けのデジタル放送が開始され始めており、携帯電話機でデジタルテレビジョン放送を受信することが可能となってきている。
【０００３】
特開２００３−１５２５７９号の公開特許公報（特許文献１）には、複数の地上デジタル放送を受信可能な移動受信機が開示されている。この移動受信機は、放送受信用チューナを複数備えており、一方のアンテナ及びチューナで地上デジタル放送の映像信号を受信し、他方のアンテナ及びチューナで、この受信している地上デジタル放送に同期しＦＭ多重化され放送されている音声信号及び文字放送を受信する。これにより、十分な情報量のテレビジョン放送受信を可能としている。
【０００４】
【特許文献１】特開２００３−１５２５７９号公報（第４頁：図１）
【発明の開示】
【発明が解決しようとする課題】
【０００５】
しかし、この特許文献１に開示されている移動受信機の場合、複数のアンテナ及びチューナの設置場所が必要となり、移動受信機自体が大型化すると共に構成が複雑となる問題がある。また、複数のアンテナ及びチューナを設けることで、製造コストが高くなる問題があった。
【０００６】
本発明は上述の課題に鑑みてなされたものであり、一組のアンテナ及びチューナで、或いはアンテナ及びチューナを備えていない場合でも、複数の放送番組を受信可能とすることで、機器の大型化を防止し、また、構成を簡素化して製造コストを安価とすることができるような携帯端末装置、携帯端末装置の放送情報処理方法、及び携帯端末装置の放送情報処理プログラムの提供を目的とする。
【課題を解決するための手段】
【０００７】
本発明に係る携帯端末装置は、上述の課題を解決するための手段として、
放送情報を受信する近距離無線通信手段と、
上記近距離無線通信手段で受信された放送情報を出力するための放送情報出力手段と、
上記近距離無線通信手段を介して受信された放送情報を、上記放送情報出力手段を介して出力制御する制御手段と
を有する。
【０００８】
このような本発明は、制御手段が、近距離無線通信手段で受信された放送情報を、放送情報出力手段を介して出力制御することで、選局手段を有していない場合でも、上記近距離無線通信手段を介して放送情報の取り込みを行うことができる。
【０００９】
また、本発明に係る携帯端末装置は、上述の課題を解決するための手段として、上述の各手段に加え、
所望のチャンネルの放送情報を選局する選局手段と、
上記放送情報を記録するための記録手段とを有する。
【００１０】
そして、制御手段が、選局手段により選局されたチャンネルの放送情報を記録手段に記録制御すると共に、近距離無線通信手段を介して受信された放送情報を放送情報出力手段を介して出力制御する。これにより、自端末で受信したチャンネルを記録しながら、近距離無線通信手段を介して受信された放送情報の出力を得ることができる。
【００１１】
或いは、上記制御手段は、近距離無線通信手段を介して受信された放送情報を記録手段に記録制御すると共に、選局手段により選局されたチャンネルの放送情報を放送情報出力手段を介して出力制御する。これにより、自端末で受信したチャンネルの出力を得ながら、近距離無線通信手段を介して受信された放送情報を記録することができる。
【００１２】
また、本発明に係る携帯端末装置は、上述の課題を解決するための手段として、上述の各手段に加え、
所望のチャンネルの放送情報を選局する選局手段と、
上記放送情報出力手段を介して出力する放送情報のチャンネルを切り替え操作するためのチャンネル切り替え操作手段と、
上記放送情報を記録するための記録手段とを有する。
【００１３】
そして、制御手段が、近距離無線通信手段を介して受信されたチャンネルの放送情報を記録手段に記録制御すると共に、選局手段により選局されたチャンネルの放送情報を放送情報出力手段を介して出力制御し、チャンネル切り替え操作手段を介してチャンネルの切り替え操作がなされた際に、記録手段に記録制御したチャンネルの放送情報を、選局手段により選局されたチャンネルの放送情報に代えて放送情報出力手段を介して出力制御する。
【００１４】
これにより、チャンネルの切り替え操作がなされた際に、記録手段に記録制御したチャンネルの放送情報を、即座に出力することができるため、切り替えたチャンネルの出力を得るまでに要する時間を短縮化することができる。
【００１５】
また、本発明に係る携帯端末装置は、
上記放送情報は、１つの番組の放送情報が複数の分割チャンネルに分割されており、
上述の課題を解決するために、上述の各手段に加え、
所望のチャンネルの放送情報を選局する選局手段を有する。
【００１６】
そして、制御手段が、上記複数の分割チャンネルのうち、１つの分割チャンネルの放送情報を選局するように選局手段を選局制御すると共に、この選局制御している分割チャンネル以外の分割チャンネルの放送情報を近距離無線受信するように近距離無線通信手段を制御する。
【００１７】
これにより、複数の分割チャンネルのうち、１つの分割チャンネルの放送情報を自端末で選局し、他の分割チャンネルの放送情報を、近距離無線通信手段を介して取り込むことができる。従って、選局手段を一つのみしか有していない場合でも、複数の分割チャンネルを全て取り込むことができる。
【００１８】
また、本発明に係る携帯端末装置は、
上記放送情報は、テレビジョン放送の放送情報であり、
上記放送情報出力手段は、少なくとも表示手段であり、
上述の課題を解決するために上述の各手段に加え、
上記テレビジョン放送の所望のチャンネルを選局する選局手段を有する。
【００１９】
そして、制御手段が、上記テレビジョン放送の所望のチャンネルを選局するように上記選局手段を制御し、また、上記選局手段で選局したチャンネル以外のチャンネルの放送情報を取り込むように上記近距離無線通信手段を制御すると共に、上記表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示制御する。
【００２０】
これにより、選局手段を一つのみしか有していない場合でも、複数のチャンネルのテレビジョン放送を、表示画面上に一括して表示することができる。
【００２１】
次に、本発明に係る携帯端末装置の放送情報処理方法は、上述の課題を解決するための手段として、
選局手段が所望のチャンネルの放送情報を選局するステップと、
制御手段が、上記選局手段により選局されたチャンネルの放送情報を記録手段に記録制御すると共に、近距離無線通信手段を介して受信された放送情報を放送情報出力手段を介して出力制御するステップ、或いは上記選局手段により選局されたチャンネルの放送情報を放送情報出力手段を介して出力制御すると共に、近距離無線通信手段を介して受信された放送情報を記録手段に記録制御するステップとを有する。
【００２２】
これにより、自端末で受信したチャンネルを記録しながら、近距離無線通信手段を介して受信された放送情報の出力を得ることができる。或いは、自端末で受信したチャンネルの出力を得ながら、近距離無線通信手段を介して受信された放送情報を記録することができる。
【００２３】
また、本発明に係る携帯端末装置の放送情報処理方法は、上述の課題を解決するための手段として、
選局手段が所望のチャンネルの放送情報を選局するステップと、
制御手段が、近距離無線通信手段を介して受信されたチャンネルの放送情報を記録手段に記録制御するステップと、
制御手段が、上記選局手段により選局されたチャンネルの放送情報を放送情報出力手段を介して出力制御するステップと、
制御手段が、チャンネル切り替え操作手段を介してチャンネルの切り替え操作がなされた際に、上記記録手段に記録制御したチャンネルの放送情報を、上記選局手段により選局されたチャンネルの放送情報に代えて、上記放送情報出力手段を介して出力制御するステップと
を有する。
【００２４】
これにより、チャンネルの切り替え操作がなされた際に、記録手段に記録制御したチャンネルの放送情報を、即座に出力することができるため、切り替えたチャンネルの出力を得るまでに要する時間を短縮化することができる。
【００２５】
また、本発明に係る携帯端末装置の放送情報処理方法は、上述の課題を解決するための手段として、
１つの番組が複数の分割チャンネルに分割されて放送される放送情報のうち、選局手段が、一つの分割チャンネルの放送情報を選局するステップと、
制御手段が、上記選局手段で選局している分割チャンネル以外の分割チャンネルの放送情報を近距離無線受信するように近距離無線通信手段を制御するステップと
を有する。
【００２６】
これにより、複数の分割チャンネルのうち、１つの分割チャンネルの放送情報を自端末で選局し、他の分割チャンネルの放送情報を、近距離無線通信手段を介して取り込むことができる。従って、選局手段を一つのみしか有していない場合でも、複数の分割チャンネルを全て取り込むことができる。
【００２７】
また、本発明に係る携帯端末装置の放送情報処理方法は、上述の課題を解決するための手段として、
選局手段が、テレビジョン放送の所望のチャンネルを選局するステップと、
制御手段が、上記選局手段で選局したチャンネル以外のチャンネルの放送情報を取り込むように近距離無線通信手段を制御するステップと、
制御手段が、表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示制御するステップと
を有する。
【００２８】
これにより、選局手段を一つのみしか有していない場合でも、複数のチャンネルのテレビジョン放送を、表示画面上に一括して表示することができる。
【００２９】
次に、本発明に係る携帯端末装置の放送情報処理プログラムは、上述の課題を解決するために、
所望のチャンネルの放送情報を選局するように選局手段を制御する選局制御手段としてコンピュータを機能させ、
上記選局制御手段としてコンピュータを機能させることで、上記選局手段により選局されたチャンネルの放送情報を記録手段に記録制御する記録制御手段としてコンピュータを機能させると共に、近距離無線通信手段を介して受信された放送情報を放送情報出力手段を介して出力制御する出力制御手段としてコンピュータを機能させ、或いは選局制御手段としてコンピュータを機能させることで、上記選局手段により選局されたチャンネルの放送情報を放送情報出力手段を介して出力制御する出力制御手段としてコンピュータを機能させると共に、近距離無線通信手段を介して受信された放送情報を記録手段に記録制御する記録制御手段としてコンピュータを機能させる。
【００３０】
これにより、自端末で受信したチャンネルを記録しながら、近距離無線通信手段を介して受信された放送情報の出力を得ることができる。或いは、自端末で受信したチャンネルの出力を得ながら、近距離無線通信手段を介して受信された放送情報を記録することができる。
【００３１】
また、本発明に係る携帯端末装置の放送情報処理プログラムは、上述の課題を解決するために、
所望のチャンネルの放送情報を選局するように選局手段を制御する選局制御手段としてコンピュータを機能させ、
近距離無線通信手段を介して受信されたチャンネルの放送情報を記録手段に記録する記録制御手段としてコンピュータを機能させ、
上記選局制御手段としてコンピュータを機能させることで、上記選局手段により選局されたチャンネルの放送情報を放送情報出力手段を介して出力する出力制御手段としてコンピュータを機能させ、
チャンネル切り替え操作手段を介してチャンネルの切り替え操作がなされた際に、上記記録手段に記録制御したチャンネルの放送情報を、上記選局手段により選局されたチャンネルの放送情報に代えて、上記放送情報出力手段を介して出力する出力切り替え手段としてコンピュータを機能させる。
【００３２】
これにより、チャンネルの切り替え操作がなされた際に、記録手段に記録制御したチャンネルの放送情報を、即座に出力することができるため、切り替えたチャンネルの出力を得るまでに要する時間を短縮化することができる。
【００３３】
また、本発明に係る携帯端末装置の放送情報処理プログラムは、上述の課題を解決するために、
１つの番組が複数の分割チャンネルに分割されて放送される放送情報のうち、一つの分割チャンネルの放送情報を選局するように、選局手段を制御する選局制御手段としてコンピュータを機能させ、
上記選局手段で選局している分割チャンネル以外の分割チャンネルの放送情報を近距離無線受信するように近距離無線通信手段を制御する近距離無線通信制御手段としてコンピュータを機能させる。
【００３４】
これにより、複数の分割チャンネルのうち、１つの分割チャンネルの放送情報を自端末で選局し、他の分割チャンネルの放送情報を、近距離無線通信手段を介して取り込むことができる。従って、選局手段を一つのみしか有していない場合でも、複数の分割チャンネルを全て取り込むことができる。
【００３５】
また、本発明に係る携帯端末装置の放送情報処理プログラムは、上述の課題を解決するために、
テレビジョン放送の所望のチャンネルの放送情報を選局するように選局手段を制御する選局制御手段としてコンピュータを機能させ、
上記選局手段で選局したチャンネル以外のチャンネルの放送情報を取り込むように近距離無線通信手段を制御する近距離無線通信制御手段としてコンピュータを機能させ、
表示手段の表示画面を複数の分割画面に分割し、これら各分割画面に、上記選局手段で選局したチャンネルの放送情報、及び上記近距離無線通信手段を介して取り込んだチャンネルの放送情報をそれぞれ表示する表示制御手段としてコンピュータを機能させる。
【００３６】
これにより、選局手段を一つのみしか有していない場合でも、複数のチャンネルのテレビジョン放送を、表示画面上に一括して表示することができる。
【発明の効果】
【００３７】
本発明は、選局手段を有していない場合でも、所望のチャンネルの放送情報の出力を得ることができる。また、選局手段を一つしか有していない場合でも、近距離無線通信手段を介して、他のチャンネルの放送情報を取り込むことができるため、複数の放送情報の受信を可能とすることができる。このため、複数の放送情報を受信するために必要な選局手段が一つのみであることから、機器の大型化を防止することができ、また、構成を簡素化して製造コストを安価とすることができる。
【発明を実施するための最良の形態】
【００３８】
本発明は、携帯電話機に適用することができる。
【００３９】
［携帯電話機の構成］
この本発明の実施の形態となる携帯電話機は、図１に示すように基地局との間で無線通信を行うアンテナ１及び通信回路２と、着信音や受話音声の他、テレビジョン放送の音声等の音響出力を得るためのスピーカ部３と、送話音声を集音するマイクロホン部４と、画像（動画像、静止画像等）や文字の他、テレビジョン放送の動画像やテキストデータ等を表示するための表示部５とを有している。
【００４０】
また、この携帯電話機は、文字等の入力操作、所望の操作メニューの選択操作、及びテレビジョン放送の所望のチャンネルの選局操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００４１】
また、この携帯電話機は、現在時刻をカウントするタイマ１０と、携帯電話機用の地上デジタルテレビジョン放送を受信するためのテレビジョンアンテナ１１及びテレビジョン制御部１２と、近距離無線通信を行うための近距離無線通信アンテナ１３及び近距離無線通信部１４と、大容量メモリ１５と、基地局を介した無線通信処理を行うための通信処理プログラム（コミュニケーションプログラム）等が記憶されたメモリ１６と、当該携帯電話機全体の制御を行う制御部１７とを有している。
【００４２】
上記大容量メモリ１５は、例えばハードディスク装置や半導体メモリ（外付け或いは内蔵）等の記憶容量の大きなメモリとなっており、テレビジョン放送の動画データ、音声データ、テキストデータは、この大容量メモリ１５に記録されるようになっている。なお、テレビジョン放送の上記各データは、メモリ１６に記録するようにしてもよい。
【００４３】
メモリ１６には、上記コミュニケーションプログラムの他、カメラ部８を撮像制御するためのカメラ制御プログラム、音楽データを再生するための音楽プレーヤプログラム、テレビジョン制御部１２の選局制御やデコード処理等の他、後に説明する「バックグランド録画制御」、「マルチ番組表示制御」、「高速番組切り替え制御」、「チューナレス制御」、「分担受信制御」等を実現するテレビジョン制御プログラム（ＴＶ制御プログラム）が記憶されている。
【００４４】
また、メモリ１６には、上記音楽プレーヤプログラムで再生される音楽データ、ユーザの所望の日時に所望のスケジュールが登録されたスケジュール帳、各ユーザの電話番号や電子メールアドレス等が登録された電話帳、発着信した電子メールのデータ、電話や電子メールの発着信履歴等が記憶されている。
【００４５】
近距離無線通信部１４は、所望のデータ通信速度を確保可能な通信部となっている。一例ではあるが、この近距離無線通信部１４は、例えばブルートゥース方式（登録商標）、無線ＬＡＮ方式（LAN：Local Area Network）、ホームＲＦ方式（Home Radio Frequency）、赤外線データ協会（IrDA：Infrared Data Association）で規定されているＩｒＳｉｍｐｌｅ方式、無線ＵＳＢ方式（USB：Universal Serial Bus）等の近距離無線方式に基づいて、他の携帯電話機との間で近距離無線通信を行うようになっている。
【００４６】
ＴＶ制御部１２としては、近距離無線通信部１４を介して他の携帯電話機との間でテレビジョン放送のストリームデータの通信を行う際に、「ストリームデータをデコード処理しない状態で通信するか」、或いは「ストリームデータをデコード処理することで形成された動画データ、音声データ及びテキストデータを通信するか」で、それぞれ異なるハードウェア構成とすることができる。
【００４７】
図２は、ストリームデータをデコード処理しない状態で通信する場合のＴＶ制御部１２のハードウェア構成であり、図３は、ストリームデータをデコード処理することで形成された動画データ、音声データ及びテキストデータを通信する場合のＴＶ制御部１２のハードウェア構成である。この図２及び図３に示すように、ＴＶ制御部１２は、フロントエンド部２１、バックエンド部２２，ディスプレイ制御部２３、オーディオ制御部２４、テキストデータ処理部２５を有している。
【００４８】
ストリームデータをデコード処理しない状態で通信する場合、フロントエンド部２１には、図２に示すようにテレビジョンアンテナ１１で受信された地上デジタルテレビジョン放送信号から、所望のチャンネルの地上デジタルテレビジョン放送信号を選局するチューナ機能、他の携帯電話機に送信するストリームデータに対して所定の変調処理（例えば、ＯＦＤＭ変調（OFDM：Orthogonal Frequency Division Multiplexing）を施す変調処理機能、及びこの変調処理を施したストリームデータに対して誤り訂正処理を施して近距離無線通信部１４に供給する誤り訂正処理機能等の各機能が設けられる。
【００４９】
バックエンド部２２には、フロントエンド部２１のチューナ機能により選局されたチャンネルのストリームデータ、及び近距離無線通信部１４を介して他の携帯電話機から受信したストリームデータに対して、所定の復調処理や誤り訂正処理等のストリーム処理を施すストリーム処理機能、デジタル著作権管理に関する処理であるＤＲＭ処理（DRM：Digital Rights Management）を施すＤＲＭ処理機能、動画データのデコード処理を施すビデオデコード機能、音声データのデコード処理を施すオーディオデコード機能、ストリームデータに重畳されているテキストデータを抽出するテキストデータデコード機能等が設けられる。
【００５０】
ディスプレイ制御部２３は、このバックエンド部２２によりデコード処理された動画データを、図１に示す表示部５に表示制御し、オーディオ制御部２４は、バックエンド部２２によりデコード処理された音声データをスピーカ部３を介して音響出力制御し、テキストデータ処理部２５は、バックエンド部２２によりデコード処理されたテキストデータを表示部５に表示制御する。
【００５１】
ＴＶ制御部１２を、この図２に示すハードウェア構成とした場合、デコード処理を行うことなく、エンコードされたままの状態でストリームデータを他の携帯電話機との間で近距離無線通信するため、この近距離無線通信するストリームデータのデータ量を少ないデータ量とすることができ、より多くの携帯電話機との間でストリームデータを近距離無線通信することを可能とすることができる。
【００５２】
これに対して、ストリームデータをデコード処理することで形成された動画データ、音声データ及びテキストデータを通信する場合、フロントエンド部２１には、図３に示すように所望のチャンネルの選局を行うチューナ機能のみが設けられる。
【００５３】
バックエンド部２２は、フロントエンド部２１で選局されたチャンネルのストリームデータに対して上述のデコード処理等を施すことで、動画データ、音声データ、テキストデータを形成し、これらを近距離無線通信部１４に供給する。これにより、上記ストリームデータがデコード処理されることで形成された動画データ、音声データ、テキストデータが、他の携帯電話機に近距離無線送信されることとなる。
【００５４】
ディスプレイ制御部２３、オーディオ制御部２４及びテキストデータ処理部２５には、バックエンド部２２で形成された動画データ、音声データ、テキストデータの他、他の携帯電話機でデコード処理されて近距離無線送信されることで、近距離無線通信部１４で受信された動画データ、音声データ、テキストデータが供給される。
【００５５】
ディスプレイ制御部２３、オーディオ制御部２４、及びテキストデータ処理部２５は、バックエンド部２２でデコードされた動画データ、音声データ、テキストデータ、及び近距離無線通信部１４で受信された動画データ、音声データ、テキストデータを、表示部５に表示制御し、或いはスピーカ部３を介して音響出力制御する。
【００５６】
ＴＶ制御部１２を、この図３に示すハードウェア構成とした場合、デコード処理を行うことで形成した上記各データを他の携帯電話機との間で近距離無線通信するため、上記各データを受信した携帯電話機側では、受信したデータに対するデコード処理を不要とすることができ、このデコード処理に要する電力を削減することができる。また、デコード処理後の上記各データを受信するため、デコーダの設けられていない携帯電話機であっても、近距離無線通信部１４を介して受信したチャンネルのテレビジョン放送を視聴可能とすることができる。
【００５７】
［テレビジョン放送視聴機能］
このような実施の形態の携帯電話機は、「バックグランド録画機能」、「マルチ番組表示機能」、「高速番組切り替え機能」、「チューナレス機能」、及び「分担受信機能」の計５つのテレビジョン放送視聴機能を有している。
【００５８】
各携帯電話機の制御部１７は、このテレビジョン放送視聴機能の実行時となると、メモリ１６に記憶されているＴＶ制御プログラム及び近距離無線通信プログラムに基づいて、近距離無線通信の可能な各携帯電話機との間で、現在受信を行っているチャンネル、受信レベル、録画状況等の各情報を含む「チューニング情報」を送受信する。そして、このチューニング情報と、視聴するチャンネル、及び録画するチャンネルに基づいて、図４のフローチャートに示す「チューニング決定ルーチン」に従って、その携帯電話機で選局すべきチャンネルを決定する。
【００５９】
すなわち、各携帯電話機の制御部１７は、テレビジョン放送視聴機能の実行時となると、図４のフローチャートのステップＳ１において、ユーザにより録画が指定された番組が存在するか否かを判別する。そして、ユーザにより録画が指定された番組が存在する場合は、ステップＳ４において、このユーザにより録画が指定された番組のチャンネルを選局するようにＴＶ制御部１２を選局制御する。
【００６０】
これに対して、ユーザにより録画が指定された番組が存在しない場合、制御部１７は、処理をステップＳ２に進め、他の携帯電話機との間で近距離無線通信している上記「チューニング情報」に基づいて、近距離無線通信中のいずれかの他の携帯電話機において、視聴しようとしている番組のチャンネルが選局中であるか否かを判別する。そして、近距離無線通信中のいずれかの他の携帯電話機において、視聴しようとしている番組のチャンネルが選局されていない場合、制御部１７は処理をステップＳ５に進め、ユーザにより指定された視聴しようとしている番組のチャンネルを選局するようにＴＶ制御部１２を選局制御する。
【００６１】
一方、近距離無線通信中のいずれかの他の携帯電話機において、視聴しようとしている番組のチャンネルが選局されている場合、制御部１７は処理をステップＳ３に進め、他の携帯電話機との間で近距離無線通信している上記「チューニング情報」に基づいて、他の携帯電話機の受信レベル及びバッテリ残量を検出し、これらを自端末の受信レベル及びバッテリ残量と比較する。そして、他の携帯電話機の受信レベルよりも自端末の受信レベルの方が良好、かつ（又は）、他の携帯電話機のバッテリ残量よりも自端末のバッテリ残量が多かった場合、視聴するチャンネルの選局は自端末で行った方がよいため、制御部１７は処理をステップＳ６に進め、視聴するチャンネルの選局を行うようにＴＶ制御部１２を選局制御する。
【００６２】
これに対して、他の携帯電話機の受信レベルよりも自端末の受信レベルの方が低く、かつ（又は）、他の携帯電話機のバッテリ残量よりも自端末のバッテリ残量の方が少なかった場合、視聴するチャンネルの選局は他の携帯電話機で行った方がよいため、制御部１７は処理をステップＳ７に進める。そして、制御部１７は、「高速番組切り替え機能」が設定されている場合には、このステップＳ７において、視聴するチャンネルの「周辺のチャンネル」の選局を行うようにＴＶ制御部１２を選局制御する。
【００６３】
制御部１７は、このようなチューニング決定ルーチンに基づいて、自端末で選局するチャンネルを決定した後、以下に説明する各機能における録画制御及び（又は）視聴制御を行う。
【００６４】
〔バックグランド録画機能〕
図５にバックグランド録画機能の模式図を、図６にバックグランド録画機能の実行時におけるシーケンス図を示す。このバックグランド録画機能を実行する場合、第１の携帯電話機３１の制御部１７は、第２の携帯電話機３２との間で近距離無線通信部１４を介してチューニング情報の交換を行うと共に、ユーザにより指定された録画するチャンネル（この例の場合は２チャンネル）及び視聴するチャンネル（この例の場合は１チャンネル）をそれぞれ認識する。また、第２の携帯電話機３２の制御部１７は、視聴するチャンネル（この例の場合は２チャンネル）を認識する。
【００６５】
次に、各携帯電話機３１，３２の制御部１７は、上述の「チューニング決定ルーチン」に基づいて選局するチャンネルをそれぞれ決定する。この場合、第１の携帯電話機３１側では１チャンネルを録画するため、図４のフローチャートのステップＳ１及びステップＳ４で説明したように、制御部１７が、この録画を行う１チャンネルの選局を行うようにＴＶ制御部１２を選局制御する。また、第１の携帯電話機３１側では２チャンネルを視聴するため、図４のフローチャートのステップＳ２及びステップＳ５で説明したように、第２の携帯電話機３２の制御部１７が、この視聴を行う２チャンネルの選局を行うようにＴＶ制御部１２を選局制御し、この２チャンネルのストリームデータを第１の携帯電話機３１にするように近距離無線通信部１４を制御する。
【００６６】
そして、第１の携帯電話機３１の制御部１７は、自端末で選局した１チャンネルの録画を行うように大容量メモリ１５を録画制御すると共に、第２の携帯電話機３２から近距離無線送信された２チャンネルのストリームデータを表示部５及びスピーカ部３を介して出力制御する。また、第２の携帯電話機３２の制御部１７は、自端末で選局した２チャンネルのストリームデータを表示部５及びスピーカ部３を介して出力制御する。
【００６７】
これにより、第１の携帯電話機３１にチューナ機能が一つのみしか設けられていない場合でも、当該第１の携帯電話機３１側で１チャンネルの録画を行いながら、第２の携帯電話機３２で選局された２チャンネルのテレビジョン放送を視聴することができる（＝バックグランドで１チャンネルを受信し録画しながら、フォアグランドで２チャンネルを視聴することができる。）。
【００６８】
なお、この例では、第１の携帯端末装置３１は、自端末で選局した１チャンネルの録画を行い、第２の携帯端末装置３２から近距離無線送信された２チャンネルの視聴を行うおととしたが、反対に第２の携帯端末装置３２から近距離無線送信された１チャンネルの録画を行い、自端末で選局した２チャンネルの視聴を行うようにしてもよい。
【００６９】
〔マルチ番組表示機能〕
次に、図７にマルチ番組表示機能の模式図を、図８にマルチ番組表示機能の実行時におけるシーケンス図を示す。このマルチ番組表示機能を実行する場合、第１の携帯電話機３１の制御部１７は、第２〜第４の携帯電話機３２〜３４の間で近距離無線通信部１４を介してチューニング情報の交換を行う。そして、各携帯電話機３１〜３４の制御部１７は、このチューニング情報に基づいて、自端末で選局するチャンネルを決定する。
【００７０】
次に、例えば第１の携帯電話機３１で１チャンネルを選局し、第２の携帯電話機３２で２チャンネルを選局し、第３の携帯電話機３３で３チャンネルを選局し、第４の携帯電話機３４で４チャンネルを選局したものとすると、各携帯電話機３１〜３４の制御部１７は、それぞれ自端末で選局したチャンネルのストリームデータを、近距離無線通信部１４を介して他の携帯電話機に送信する。
【００７１】
第１の携帯電話機３１の制御部１７は、自端末で選局した１チャンネルのストリームデータを、ＴＶ制御部１２を介してデコード処理すると共に、第２〜第４の携帯電話機３２〜３４から近距離無線通信部１４を介して受信した２チャンネル、３チャンネル、４チャンネルの各ストリームデータを、ＴＶ制御部１２を介してデコード処理する。そして、表示部５の表示領域を４等分割し、この分割した各表示領域に、１チャンネル〜４チャンネルのストリームデータを出力制御する。
【００７２】
これにより、第１の携帯電話機３１にチューナ機能が一つのみしか設けられていない場合でも、当該第１の携帯電話機３１側で選局した１チャンネルの他、他の携帯電話機３２〜３４で選局された２チャンネル〜４チャンネルのテレビジョン放送を視聴することができる。なお、このように複数のチャンネルのストリームデータを表示する場合、各チャンネルのストリームデータをダウンデコードするようにしてもよい。
【００７３】
また、この図７及び図８に示す第３の携帯電話機３３のように、自端末で３チャンネルを選局すると共に、第２の携帯電話機３２及び第４の携帯電話機３４からそれぞれ２チャンネル及び４チャンネルのストリームデータを近距離無線通信で受信し、この２チャンネル〜４チャンネルのストリームデータを大容量メモリ１５に録画するようにしてもよい。
【００７４】
〔高速番組切り替え機能〕
次に、図９に高速番組切り替え機能の模式図を、図１０に高速番組切り替え機能の実行時におけるシーケンス図を示す。この高速番組切り替え機能を実行する場合、第１の携帯電話機３１〜第３の携帯電話機３３の各制御部１７は、他の携帯電話機との間において近距離無線通信部１４を介してチューニング情報の交換を行う。そして、各携帯電話機３１〜３３の制御部１７は、ユーザにより指定された視聴するチャンネルを認識すると共に、上記チューニング情報に基づいて、自端末で選局するチャンネルをそれぞれ決定する。
【００７５】
例えば、各携帯電話機３１〜３３において２チャンネルのテレビジョン放送を視聴する場合、第１の携帯電話機３１の制御部１７は、この２チャンネルを選局するようにＴＶ制御部１２を制御すると共に、この２チャンネルのストリームデータを近距離無線通信部１４を介して第２及び第３の携帯電話機３２，３３に送信制御する。
【００７６】
第２の携帯電話機３２の制御部１７は、第１の携帯電話機３１から近距離無線受信した２チャンネルのストリームデータを表示部５及びスピーカ部３を介して出力制御すると共に、この２チャンネルの周辺のチャンネルである例えば１チャンネルを選局するようにＴＶ制御部１２を制御する。そして、この１チャンネルのストリームデータを、近距離無線通信部１４を介して第１及び第３の携帯電話機３１，３３にそれぞれ送信する。
【００７７】
同様に、第３の携帯電話機３３の制御部１７は、第１の携帯電話機３１から近距離無線受信した２チャンネルのストリームデータを表示部５及びスピーカ部３を介して出力制御すると共に、この２チャンネルの周辺のチャンネルである例えば３チャンネルを選局するようにＴＶ制御部１２を制御する。そして、この３チャンネルのストリームデータを、近距離無線通信部１４を介して第１及び第３の携帯電話機３１，３３にそれぞれ送信する。
【００７８】
第１の携帯電話機３１の制御部１７は、自端末で選局している２チャンネルのストリームデータをデコード処理して表示部５及びスピーカ部３を介して出力制御すると共に、第２及び第３の携帯電話機３２，３３から近距離無線送信された１チャンネル及び３チャンネルのストリームデータを、それぞれデコード処理して大容量メモリ１５に記憶制御する。
【００７９】
また、第２の携帯電話機３２の制御部１７は、第１の携帯電話機３１から近距離無線受信した２チャンネルのストリームデータをデコード処理して表示部５及びスピーカ部３を介して出力制御すると共に、自端末で選局している１チャンネルのストリームデータ、及び第３の携帯電話機３３から近距離無線受信した３チャンネルのストリームデータを、それぞれデコード処理して大容量メモリ１５に記憶制御する。
【００８０】
同様に、第３の携帯電話機３３の制御部１７は、第１の携帯電話機３１から近距離無線受信した２チャンネルのストリームデータをデコード処理して表示部５及びスピーカ部３を介して出力制御すると共に、自端末で選局している３チャンネルのストリームデータ、及び第２の携帯電話機３２から近距離無線受信した１チャンネルのストリームデータを、それぞれデコード処理して大容量メモリ１５に記憶制御する。
【００８１】
これにより、各携帯電話機３１〜３３においては、現在、視聴している２チャンネルの周辺のチャンネルとなる１チャンネル及び３チャンネルのストリームデータを予めデコード処理して大容量メモリ１５に記憶しておくことができるため、ユーザからチャンネルの切り替え指示操作がなされた際に、この切り替え指示操作に対応するチャンネルのストリームデータを大容量メモリ１５から読み出して表示部５及びスピーカ部３を介して出力することで、高速でチャンネル（番組）の切り替えを行うことができる。
【００８２】
なお、この例の場合、各携帯電話機３１〜３３で同じ２チャンネルを視聴する場合に、第１の携帯電話機３１で２チャンネルを選局し、他の第２及び第３の携帯電話機３２、３３では、この視聴する２チャンネルの周辺のチャンネルである１チャンネル及び３チャンネルをそれぞれ選局することとしたが、第２及び第３の携帯電話機３２、３３では、このような視聴するチャンネルの周辺のチャンネルの他、視聴率の高い放送番組を放送している放送局のチャンネル等を選局するようにしてもよい。
【００８３】
また、他の携帯電話機から近距離無線通信部１４を介して受信するストリームデータが、デコード済みのデータである場合（図３参照）、上述の各デコード処理は不要とすることができる。
【００８４】
〔チューナレス機能〕
次に、図１１にチューナレス機能の模式図を、図１２にチューナレス機能の実行時におけるシーケンス図を示す。なお、この図１１及び図１２に示す第１の携帯電話機３１はチューナ機能を有しておらず、第２の携帯電話機３２がチューナ機能を有しているものとする。
【００８５】
この場合において、第１及び第２の携帯電話機３１，３２は、近距離無線通信部１４を介して上記チューニング情報の交換を行う。そして、第２の携帯電話機３２の制御部１７は、自端末で選局した、例えば１チャンネルのストリームデータを表示部５及びスピーカ部３を介して出力制御すると共に、この１チャンネルのストリームデータを、近距離無線通信部１４を介して第１の携帯電話機３１側に近距離無線送信する。
【００８６】
第１の携帯電話機３１の制御部１７は、第２の携帯電話機３２側から近距離無線送信された１チャンネルのストリームデータを近距離無線通信部１４を介して受信し、このストリームデータを表示部５及びスピーカ部３を介して出力制御する。これにより、第１の携帯電話機３１側でチューナ機能を有していない場合でも、テレビジョン放送を視聴可能とすることができる。
【００８７】
なお、この例の場合、第１の携帯電話機３１はチューナ機能を有していないこととしたが、第１の携帯電話機３１が有しているチューナ機能がオフとされている場合でも、第２の携帯電話機３２側から近距離無線送信されたストリームデータに基づいて、上述と同様にテレビジョン放送の視聴を可能とすることができる。
【００８８】
また、他の携帯電話機で選局されたチャンネルのストリームデータを近距離無線通信可能であることから、自分の携帯電話機及び他の携帯電話機のうち、受信強度の高いストリームデータを選択したり、一つの携帯電話機で選局したチャンネルのストリームデータを、他の複数の携帯電話機に近距離無線送信することで、他の複数の携帯電話機を低消費電力で動作させることも可能となる。
【００８９】
〔分担受信機能〕
次に、図１３に分担受信機能の模式図を、図１４に分担受信機能の実行時におけるシーケンス図を示す。図１３に示すように、例えば５チャンネルのテレビジョン放送が、第１〜第３の計３つのセグメントのストリームデータで構成されていた場合、１つのアンテナ及びチューナ機能しか設けられていない携帯電話機では、上記３つのセグメントのストリームデータを全て受信することができない。このため、第１〜第３の携帯電話機３１〜３３の各制御部１７は、近距離無線通信部１４を介してチューニング情報の交換を行うことで、それぞれ自端末で選局するセグメントを決定する。
【００９０】
これにより、例えば第１の携帯電話機３１の制御部１７は、ＴＶ制御部１２を介して上記５チャンネルの第１のセグメントのストリームデータを選局し、この第１のセグメントのストリームデータを近距離無線通信部１４を介して第２，第３の携帯電話機３２、３３に近距離無線送信する。
【００９１】
同様に、第２の携帯電話機３２の制御部１７は、ＴＶ制御部１２を介して上記５チャンネルの第２のセグメントのストリームデータを選局し、この第２のセグメントのストリームデータを近距離無線通信部１４を介して第１，第３の携帯電話機３１、３３に近距離無線送信する。
【００９２】
同様に、第３の携帯電話機３３の制御部１７は、ＴＶ制御部１２介して上記５チャンネルの第３のセグメントのストリームデータを選局し、この第３のセグメントのストリームデータを近距離無線通信部１４を介して第１，第２の携帯電話機３１、３２に近距離無線送信する。
【００９３】
これにより、各携帯電話機３１〜３３に、それぞれ１つのアンテナ及びチューナ機能しか設けられていない場合でも、一つのチャンネルのテレビジョン放送を形成する複数のセグメントのストリームデータを全て受信して視聴可能とすることができる。
【００９４】
［テレビジョン放送視聴機能の実行時における動作］
次に、図１５のフローチャートに、このようなテレビジョン放送視聴機能を実行する場合における制御部１７の動作の流れを示す。このフローチャートは、ユーザにより操作部６を介してテレビジョン放送視聴機能の実行が指定された際に、制御部１７が、メモリ１６に記憶されているＴＶ制御プログラムに基づいてスタートさせる。
【００９５】
まず、ステップＳ１１では、制御部１７が、他の携帯電話機との間で「チューニング情報」の交換を行うように近距離無線通信部１４を制御してステップＳ１２に処理を進める。
【００９６】
ステップＳ１２では、制御部１７が、自端末のチューニング情報、及び他の携帯電話機から受信したチューニング情報に基づいて、視聴及び録画可能なチャンネル（番組）を認識し、処理をステップＳ１３に進める。
【００９７】
ステップＳ１３では、制御部１７が、ユーザからの入力操作の有無に応じて、録画が指定されたチャンネルの有無を認識して、処理をステップＳ１４に進める。ステップＳ１４では、制御部１７が、ユーザからの入力操作の有無に応じて、視聴が指定されたチャンネルの有無を認識して、処理をステップＳ１５に進める。
【００９８】
ステップＳ１５では、制御部１７が、自端末のＴＶ制御部１２におけるチューナ機能が起動しているか否か（＝チューナ機能が有効であるか否か）を判別し、チューナ機能が有効である場合は処理をステップＳ１６に進め、チューナ機能を有しておらず、或いはチューナ機能が無効である場合は処理をステップＳ１８に進める。
【００９９】
ステップＳ１６では、制御部１７が、図１３及び図１４を用いて説明した「分担受信機能」を実行するか否かを判別する。そして、「分担受信機能」を実行する場合は処理をステップＳ２６に進め、「分担受信機能」を実行しない場合は処理をステップＳ１７に進める。
【０１００】
ステップＳ１７では、自端末のチューナ機能は有効であり、また、「分担受信機能」を実行しないため、制御部１７が、図４のフローチャートを用いて説明した「チューニング決定ルーチン」に従って、録画するチャンネル、或いは視聴するチャンネルを選局するようにＴＶ制御部１２を選局制御して、処理をステップＳ１８に進める。
【０１０１】
これに対して、「分担受信機能」を実行する場合に処理をステップＳ２６に進めると、制御部１７は、図１３及び図１４を用いて説明したように、他の携帯電話機との間で近距離無線通信を行うことで、それぞれ受信するセグメントを決定し、このセグメントのストリームデータを、互いに近距離無線通信する。これにより、各携帯電話機において、「分担受信機能」によるテレビジョン放送の視聴が開始されることとなる。
【０１０２】
次に、「チューニング決定ルーチン」に従ってＴＶ制御部１２を選局制御すると、制御部１７は、この選局しているチャンネルのストリームデータを送信するように、また、他の携帯電話機から送信されたストリームデータを受信するように、近距離無線通信部１４を通信制御して、ステップＳ１９に処理を進める。
【０１０３】
ステップＳ１９では、制御部１７が、上記ステップＳ１３における認識結果に基づいて、ユーザから録画が指定されたチャンネルの有無を判別し、録画が指定されたチャンネルが存在する場合は処理をステップＳ２０に進め、録画が指定されたチャンネルが存在しない場合は処理をステップＳ２１に進める。
【０１０４】
ステップＳ２０では、録画が指定されたチャンネルが存在するため、制御部１７が、自端末のチューナ機能で選局している上記録画が指定されたチャンネルのストリームデータを、大容量メモリ１５に記録制御して、処理をステップＳ２１に進める。
【０１０５】
次に、ステップＳ２１では、制御部１７が、図７及び図８を用いて説明した「マルチ番組表示機能」の実行がユーザから指定されているか否かを判別し、このマルチ番組表示機能の実行がユーザから指定されている場合は処理をステップＳ２７に進め、マルチ番組表示機能の実行がユーザから指定されていない場合は処理をステップＳ２２に進める。
【０１０６】
ステップＳ２７では、マルチ番組表示機能の実行がユーザから指定されているため、制御部１７が、図７及び図８を用いて説明したように、自端末で選局したチャンネルのストリームデータ、及び各携帯電話機から近距離無線送信される他チャンネルのストリームデータを、表示部５の分割領域にそれぞれ表示制御する。これにより、チューナ機能を１つしか有していない場合でも、複数のチャンネルの動画データを１つの表示画面に表示することができる。
【０１０７】
次に、ステップＳ２２では、制御部１７が、図９及び図１０を用いて説明した「高速番組切り替え機能」の実行がユーザから指定されているか否かを判別し、この高速番組切り替え機能の実行がユーザから指定されている場合は処理をステップＳ２４に進め、高速番組切り替え機能の実行がユーザから指定されていない場合は処理をステップＳ２５に進める。
【０１０８】
ステップＳ２４では、高速番組切り替え機能の実行がユーザから指定されているため、制御部１７が、図９及び図１０を用いて説明したように、視聴しているチャンネルのストリームデータを表示部５及びスピーカ部３を介して出力制御しながら、他のチャンネルのストリームデータを大容量メモリ１５に記憶制御し、ステップＳ２５に処理を進める。これにより、ユーザからチャンネルの切り替えが指定された際に、大容量メモリ１５に記録された他チャンネルのストリームデータを即座に読み出して、表示部５及びスピーカ部３を介して出力することができる。
【０１０９】
次に、ステップＳ２５では、制御部１７が、操作部６の操作状態を監視することで、ユーザによりテレビジョン放送の視聴終了操作がなされたか否かを判別し、視聴終了操作を検出しない間は、処理をステップＳ１１に戻し、上述のステップＳ１１〜当該ステップＳ２５の処理を繰り返し実行し、視聴終了操作を検出したタイミングで、この図１５のフローチャートに示す処理を終了する。
【０１１０】
［実施の形態の効果］
以上の説明から明らかなように、この実施の形態の携帯電話機は、「バックグランド録画機能」により、一つのチューナ機能のみ有するにもかかわらず、自端末で選局したチャンネルを録画しながら、近距離無線通信により他の携帯電話機から送信された別のチャンネルのテレビジョン放送を視聴することができる。
【０１１１】
また、「マルチ番組表示機能」により、複数の携帯電話機でそれぞれ別々のチャンネルを選局し、各チャンネルのストリームデータを相互に近距離無線通信することで、一つの表示画面を複数の表示領域に分割し、各分割画面に各チャンネルのテレビジョン放送をそれぞれ表示することができる。このため、複数のチャンネルのテレビジョン放送を一覧的に表示することができ、ユーザに対して所望のチャンネルを選択させ易くすることができる。
【０１１２】
また、「高速番組切り替え機能」により、所望のチャンネルのテレビジョン放送を視聴すると共に、近距離無線通信部１４を介して、この視聴中のチャンネル以外のチャンネルのストリームデータを他の携帯電話機から取り込んでデコード処理したうえで大容量メモリ１５に記録しておくことで、ユーザからチャンネルの切り替え操作がなされた際に、大容量メモリ１５に記録しておいたデコード済みの他チャンネルのストリームデータを即座に読み出して表示部５等に表示することができる。このため、他チャンネルの選局や当該他チャンネルのストリームデータのデコード処理に要する時間を省略して、高速にチャンネルの切り替えを行うことができる。
【０１１３】
また、「チューナレス機能」により、他の携帯電話機で選局されているチャンネルのストリームデータを近距離無線通信部１４を介して取り込むことで、チューナ機能を有していない携帯電話機においても所望のチャンネルのテレビジョン放送を視聴可能とすることができる。
【０１１４】
また、一つのチャンネルのテレビジョン放送が複数のセグメントのストリームデータで形成されている場合に、「分担受信機能」により、他の携帯電話機と分担して各セグメントのストリームデータを受信し、この各セグメントのストリームデータを各携帯電話機で近距離無線通信部１４を介して相互に取り込むことで、複数のセグメントのストリームデータで形成されるテレビジョン放送を視聴可能とすることができる。
【０１１５】
［変形例］
上述の実施の形態の説明では、本発明を携帯電話機に適用することとしたが、この携帯電話機以外であっても、ＰＨＳ電話機（PHS：Personal Handyphone System）やＰＤＡ装置（PDA：Personal Digital Assistant）、或いはノート型のパーソナルコンピュータ装置や携帯ゲーム機等に本発明を適用してもよい。いずれの機器に適用した場合でも、上述と同じ効果を得ることができる。
【０１１６】
また、上述の実施の形態の説明では、テレビジョン放送を例にとって説明したが、ラジオ放送のストリームデータを上記近距離無線通信部１４を介して送受信するようにしてもよい。この場合でも、上述と同様の効果を得ることができる。
【０１１７】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【０１１８】
【図１】本発明を適用した実施の形態となる携帯電話機のブロック図である。
【図２】実施の形態の携帯電話機に設けられているＴＶ制御部の一例を示すブロック図である。
【図３】実施の形態の携帯電話機に設けられているＴＶ制御部の他の一例を示すブロック図である。
【図４】実施の形態の携帯電話機のチューニング決定ルーチンを示すフローチャートである。
【図５】実施の形態携帯電話機におけるバックグランド録画機能を説明するための模式図である。
【図６】実施の形態携帯電話機におけるバックグランド録画機能実行時のシーケンス図である。
【図７】実施の形態携帯電話機におけるマルチ番組表示機能を説明するための模式図である。
【図８】実施の形態携帯電話機におけるマルチ番組表示機能実行時のシーケンス図である。
【図９】実施の形態携帯電話機における高速番組切り替え機能を説明するための模式図である。
【図１０】実施の形態携帯電話機における高速番組切り替え機能実行時のシーケンス図である。
【図１１】実施の形態携帯電話機におけるチューナレス機能を説明するための模式図である。
【図１２】実施の形態携帯電話機におけるチューナレス機能実行時のシーケンス図である。
【図１３】実施の形態携帯電話機における分担受信機能を説明するための模式図である。
【図１４】実施の形態携帯電話機における分担受信機能実行時のシーケンス図である。
【図１５】実施の形態携帯電話機におけるテレビジョン放送視聴機能実行時の動作の流れを示すフローチャートである。
【符号の説明】
【０１１９】
１  アンテナ、２  通信回路、３  スピーカ部、４  マイクロホン部、５  表示部、６  操作部、７  発光部（ＬＥＤ）、８  カメラ部、９  バイブレーションユニット、１０  タイマ、１１  テレビジョンアンテナ、１２  テレビジョン制御部（ＴＶ制御部）、１３  近距離無線通信アンテナ、１４  近距離無線通信部、１５  大容量メモリ、１６  メモリ、１７  制御部、２１  フロントエンド部、２２  バックエンド部、２３  ディスプレイ制御部、２４  オーディオ制御部、２５  テキストデータ処理部、３１  第１の携帯電話機、３２  第２の携帯電話機、３３  第３の携帯電話機、３４  第４の携帯電話機
【図１】
2007300576.tif 000003
【図２】
2007300576.tif 000004
【図３】
2007300576.tif 000005
【図４】
2007300576.tif 000006
【図５】
2007300576.tif 000007
【図６】
2007300576.tif 000008
【図７】
2007300576.tif 000009
【図８】
2007300576.tif 000010
【図９】
2007300576.tif 000011
【図１０】
2007300576.tif 000012
【図１１】
2007300576.tif 000013
【図１２】
2007300576.tif 000014
【図１３】
2007300576.tif 000015
【図１４】
2007300576.tif 000016
【図１５】
2007300576.tif 000017